(57)【要約】【課題】リモコン側に特別な構成を必要とすることなく、リモコンの電池交換の要否をユーザに通知することが可能な遠隔制御信号受信機器を提供すること。【解決手段】本発明に係る遠隔制御信号受信機器は、所定の判定時間内に正常に受信できたリモコン信号数をカウントし、理論上判定時間内に受信可能な回数である受信可能回数と比較することで、リモートコントローラの電池残量を推測する。これによりリモートコントローラに特別な構成を必要とせず、遠隔制御信号受信機器側でリモートコントローラの電池残量の不足を通知することが出来る。【選択図】図４
2010021750.tif 000002
【特許請求の範囲】
【請求項１】
電池駆動のリモートコントローラにより制御される遠隔制御信号受信機器であって、
前記遠隔制御信号受信機器は、
前記リモートコントローラから送信されたリモコン信号を受信する受信部と、
前記受信部が受信したリモコン信号が正常なリモコン信号であるか否かを判定するエラー判定部と、
前記リモートコントローラを駆動する電池の残量を判定する時間を設定する判定時間設定手段と、
前記判定時間設定手段によって設定された電池残量判定時間内に前記エラー判定部によって正常なリモコン信号と判定されたリモコン信号数をカウントする時間内受信回数カウント部と、
リモコン信号内の連続する２つのリモコンコードのリーダコード間隔情報を格納するリーダコード間隔情報格納手段と、
前記判定時間設定手段に設定された電池残量判定時間と前記リーダコード間隔情報格納手段に格納された前記リーダコード間隔情報とから前記電池残量判定時間内に最大限受信可能なリモコン信号数を演算する演算部と、
前記時間内受信回数カウント部で得られたリモコン信号数と前記演算部で演算された最大限受信可能なリモコン信号数とを比較する回数比較部と、
前記回数比較部の比較結果に応じて前記リモートコントローラを駆動する電池の残量を推測し、ユーザに所定の通知をする出力部と
を具備することを特徴とする遠隔制御信号受信機器。
【請求項２】
請求項１記載の遠隔制御信号受信機器であって、
外部入力によって電池残量の推測精度を設定する推定精度設定手段
を具備することを特徴とする遠隔制御信号受信機器。
【請求項３】
請求項２記載の遠隔制御信号受信機器であって、
前記推定精度設定手段に設定された電池残量推定精度に応じてリモートコントローラを駆動する電池の残量を判定する時間を決定する判定時間決定手段
を具備し、
前記判定時間決定手段で決定した時間が前記判定時間設定手段に設定されることを特徴とする遠隔制御信号受信機器。
【請求項４】
請求項１記載の遠隔制御信号受信機器であって、
前記エラー判定部により正常に受信できたと判定されたリモコン信号内に連続する２つのリモコンコードが含まれるか否かを判定する連続リーダコード判定部と、
前記連続リーダコード判定部により連続する２つのリモコンコードが含まれると判定されたリモコン信号内の連続する２つのリーダコードの間隔情報を検出するリーダコード間隔情報検出部と
を具備し、
前記リーダコード間隔情報検出部によって検出した間隔情報を前記リーダコード間隔情報格納手段に格納することを特徴とする遠隔制御信号受信機器。
【請求項５】
請求項４記載の遠隔制御信号受信機器であって、
前記リーダコード間隔情報検出部によって検出された複数のリーダコード間隔時間の平均値を算出する平均リーダコード間隔時間算出手段
を具備し、
前記平均リーダコード間隔時間算出手段で算出した平均リーダコード間隔時間を前記リーダコード間隔情報格納手段に格納することを特徴とする遠隔制御信号受信機器。
【請求項６】
請求項1乃至５記載の遠隔制御信号受信機器であって、
前記受信部が受信した任意のリモコン信号を記憶するリモコン信号記憶部
を具備し、
前記リモコン信号記憶部に記憶したリモコン信号は前記エラー判定部での正常判定に用いられることを特徴とした遠隔制御信号受信機器。
【請求項７】
請求項１乃至６記載の遠隔制御信号受信機器であって、
前記出力部は前記遠隔制御信号受信機器の有する映像出力装置、サウンド出力装置、ＬＥＤのうち少なくとも一つを用いて前記リモートコントローラを駆動するための電池の交換の要否をユーザに対して通知することを特徴とする遠隔制御信号受信機器。
【発明の詳細な説明】
【技術分野】
【０００１】
本発明は、テレビやＤＶＤレコーダ等の遠隔操作に用いられるリモートコントローラの電力供給手段である電池の残量を検知し、ユーザに通知する機能を持った遠隔制御信号受信機器に関する。
【背景技術】
【０００２】
近年、電子機器の多機能化が進み、リモートコントローラ（以下、リモコンと略す）が付属された電子機器においては、電子機器に設けられた操作ボタンのみでは制御不可能な機能が搭載されたものが発売されており、リモコンの果たす役割が大きくなってきている。
【０００３】
そのため、何らかの原因で電子機器が受信するリモコン信号の受信率が低下し、リモコンによる操作が不能になると、これら電子機器の有する機能の多くが使用できないという不都合が生じることがある。従って、リモコンによる操作を行う電子機器においては、リモコン信号の受信率の低下をいち早く検知し、受信率低下の原因を特定することが重要である。
【０００４】
受信率低下の原因には、リモコンと受信機器の物理的距離が遠いこと、リモコンと受信機器の間に照明等の外乱が存在すること、リモコンを駆動する電池の残量が少ないことなどが考えられる。リモコン信号の受信率の低下の原因が、リモコンと受信機器の物理的な距離が遠いことや、リモコンと受信機器の間に外乱が存在することである場合は、受信機器がリモコン信号を適切に受信しうる適切な場所に受信機器を設置する必要がある。また電池残量の減少が原因である場合は電池を交換する必要がある。
【０００５】
リモコン信号の受信状態を確認し、リモコン信号の受信率の低下を検知しうる従来の技術としては、図１に示すワイヤレスリモコン装置がある（特許文献１参照）。
【０００６】
図１のワイヤレスリモコン装置は、リモコン送信部Ｔと、リモコン受信部Ｒからなる。リモコン送信部Ｔは、３個のキースイッチＳＷ１〜ＳＷ３より成る入力部と、入力部に入力された信号を判別してコードを生成するマイコン部３１と、生成されたコードを受信部に送信するコード送信部３２とから構成されている。
【０００７】
リモコン受信部Ｒは、受信部３３、コード判別用マイコン部３４、リレー部３５、並びに受信率表示のための表示用圧電ブザー３６から構成されている。リモコン送信部Ｔは、ＳＷ１、ＳＷ２、ＳＷ３への入力信号に応じて、異なるコードを受信部Ｒに送信する。受信部Ｒはリモコン送信部Ｔによって送信されたコードを受信し、受信したコードが所定のコードの場合、所定時間の間、受信数をカウントし、受信率を算出する。そして受信率の値に応じた所定の回数のブザーを圧電ブザー３６によって鳴動させる。これによりリモコン信号がどの程度受信されているかを受信率によって判定することができ、容易にリモコン通信に適した設置場所を選定することができる。また、リモコン信号の受信率が、どの程度低下しているかを検知することができる。
【０００８】
しかしながら、図１に示す従来技術だけでは、リモコン信号の受信率の低下がリモコンの電池残量が少ないために生じているか否かを判断することができないという課題があった。この課題を解決する従来技術、すなわちリモコン信号の受信率の低下の原因が電池残量の減少によるものか否かを判断しうる従来の技術としては、図２に示す画像表示プロジェクタがある（特許文献２参照）。
【０００９】
図２の画像表示プロジェクタ１は、表示等の指示を行うためのリモコン２０から送信されたリモコン信号を受信するリモコン受信部２、画像投影用の光を出射するランプ５ａを有するランプユニット５、マイクロミラー素子で構成されたＤＭＤ（Ｄｉｇｉｔａｌ  Ｍｉｃｒｏ  ｍｉｒｒｏｒ  Ｄｅｖｉｃｅ）４、ランプを冷却するための空気を送風するファン６ａを有するファンユニット６、画像投影用のカラーホイールを駆動するモータドライバ７、ビデオ信号入力端子８からの信号をデコードするビデオデコーダ９、装置各部の動作を制御する制御部３、光の照度を検知する照度センサ１０、及びリモコン２０から送信されるリモコン信号の受信率等を記憶するメモリ１１から構成される。
【００１０】
リモコン２０は、画像表示プロジェクタ１に対する各種操作を指示するためのものであり、複数の操作キーを備えている。これらの操作キーの操作に対応するリモコン信号を赤外線信号で送信している。リモコン受信部２は、リモコン２０から赤外線信号として送信されたリモコン信号を受光し、この赤外線信号を対応する電気パルス信号に変換して制御部３へ出力している。
【００１１】
制御部３は、ＤＭＤ４にミラー駆動用信号及びＤＭＤ制御信号を、ランプユニット５にランプのオン／オフ制御信号を、ファンユニット６にファン速度制御信号を、モータドライバ７にモータ制御信号をそれぞれ送信している。またビデオデコーダ９は画像信号を、照度センサ１０は画像表示プロジェクタ１の周囲の照度に応じた照度値をそれぞれ制御部３に送信している。
【００１２】
メモリ１１は、リモコン２０がリモコン信号を送信したときのリモコン２０から画像表示プロジェクタ１までの距離、照度センサ１０が測定した照度値、及びこれらの距離と照度値に応じたリモコン信号の受信率をそれぞれ記憶している。また、記憶している受信率の値は電池残量が十分にある場合の適切な値である。
【００１３】
制御部３は、リモコンによって所定のモードに切り替えられると、リモコン２０と画像表示プロジェクタ１との距離の設定を行う。そして受信率の測定を開始する。次に制御部３は、コード信号が正常に受信できた回数、及び正常に受信できなかった回数をカウントし、予め設定された測定回数だけリモコン２０からリモコン信号を受信した後、測定を終了する。そして測定結果より受信率を算出し、設定した距離と、照度センサ１０を用いて求めた照度とに応じた受信率をメモリ１１から参照する。制御部３は、測定した受信率とメモリから参照した受信率を比較して、測定した受信率が所定の値未満であるか否かを判断し、測定した受信率が所定の値未満の場合、警告メッセージをスクリーン上に投影し、処理を終了する。また受信率が所定の値以上の場合、警告メッセージの投影は行わず、処理を終了する。
【００１４】
メモリ１１に格納される参照用の受信率は、リモコン２０と画像表示プロジェクタ１との距離、及び画像表示プロジェクタ１周囲の照度に応じた値であり、また電池残量が十分にある場合の適切な値である。よって、この値と比較することによって、リモコン信号の受信率の低下が、リモコン２０の電池残量の低下によるものか否かの判断が可能となる。
【特許文献１】特開平６−３８２７１号公報
【特許文献２】特開２００７−１７４５９２号公報
【発明の開示】
【発明が解決しようとする課題】
【００１５】
図２に示す従来技術では、リモコン受信部２がコード信号を正常に受信した回数と、正常に受信できなかった回数とをそれぞれカウントして、これらの回数に基づいて電池残量の判定を行う際の基準となる受信率の算出を行っている。しかし、リモコン受信機器の中には、内部にエラー判定部を有して、受信したリモコン信号のうち、異常なリモコン信号をフィルタリングし、正常なリモコン信号のみを出力するものが存在する。このような場合、図２の従来技術では正しい受信率の算出が行われない。
【００１６】
また、リモコン装置の中には、電池残量が減少すると、正常な信号を送れなくなる前に、リモコン内部のリモコン信号送信用マイコンがスタンバイ状態となるものも存在する。このような場合、本来リモコン受信機器側でカウントすべき異常なリモコン信号がカウントされないため、受信率が常に１００％となってしまい、電池残量の低下を検知することができない。
【００１７】
以上により、図２に示す従来技術では、リモコン装置やリモコン受信機器の仕様によっては、正しく電池残量低下を検知することができない場合があった。
【００１８】
また、図２に示す従来の技術は、電池残量の判定を行う際の基準となる受信率を、リモコンと受信機器の間の距離、及び受信機器の周辺の照度という２つの要素に基づいて定めているので、これらの要素以外の要素がリモコン信号の受信率に影響を与える場合には、電池残量の判定基準となる受信率の精度が不十分となり、誤判定を起こす可能性があった。
【００１９】
これら２つ以外の要素でリモコン信号の受信率に影響を与える要素としては、例えばリモコン信号の入射角度などが考えられる。また、リモコン信号の媒体が赤外線以外の光や、電波、電磁波、音などを使用する場合には、媒体となる光等の種類に応じて外乱要因となる要素が異なると考えられる。
【００２０】
従って、図２に示す従来技術では、リモコン信号の入射角度や、リモコン信号の媒体によっては、電池残量を測定する際の基準となる受信率の精度が不十分で、電池残量の誤判定が発生する可能性があった。
【００２１】
また更に、図２に示す従来技術では、リモコンと受信機器の間の距離、及び受信機器の周辺の照度に応じた受信率を予めメモリ内に格納している。そのためメモリに受信率が記憶された特定のリモコンのみが電池残量判定の対象となり、その他のリモコンは電池残量判定の対象外となっていた。例えば、受信機器の使用者が汎用のマルチリモコンなどを使用する場合などは、電池残量の判定はできなかった。
【００２２】
本発明が提供する遠隔制御信号受信機器は、上記課題を解決し、電池残量の推定精度を向上することを目的とする。またユーザが望む推定精度で電池残量が判定できるように使い勝手を向上することも目的とする。また更にリモコン信号の仕様が不明なリモコン、例えば汎用のマルチリモコン等を使用する場合であっても電池残量の判定を可能とすることも目的とする。
【課題を解決するための手段】
【００２３】
本発明の請求項１記載の遠隔制御信号受信機器は、電池駆動のリモートコントローラにより制御される遠隔制御信号受信機器であって、前記遠隔制御信号受信機器は、前記リモートコントローラから送信されたリモコン信号を受信する受信部と、前記受信部が受信したリモコン信号が正常なリモコン信号であるか否かを判定するエラー判定部と、前記リモートコントローラを駆動する電池の残量を判定する時間を設定する判定時間設定手段と、前記判定時間設定手段によって設定された電池残量判定時間内に前記エラー判定部によって正常なリモコン信号と判定されたリモコン信号数をカウントする時間内受信回数カウント部と、リモコン信号内の連続する２つのリモコンコードのリーダコード間隔情報を格納するリーダコード間隔情報格納手段と、前記判定時間設定手段に設定された電池残量判定時間と前記リーダコード間隔情報格納手段に格納された前記リーダコード間隔情報とから前記電池残量判定時間内に最大限受信可能なリモコン信号数を演算する演算部と、前記時間内受信回数カウント部で得られたリモコン信号数と前記演算部で演算された最大限受信可能なリモコン信号数とを比較する回数比較部と、前記回数比較部の比較結果に応じて前記リモートコントローラを駆動する電池の残量を推測し、ユーザに所定の通知をする出力部とを具備することを特徴とする。
【００２４】
これによりリモコン受信機器内部で異常なリモコン信号のフィルタリング処理を行う仕様の受信機器であっても精度の高い電池残量判定ができる。
【００２５】
また、正常な信号を送れなくなる前に、リモコン内部のリモコン信号送信用マイコンがスタンバイ状態となるような仕様の受信機器であっても、電池残量低下の検知が可能となる。
【００２６】
また更に、判定時間設定手段によりユーザが希望する推定精度に応じた判定時間が設定可能となり、設定された電池残量判定時間とリーダコード間隔情報格納手段に格納されたリーダコード間隔情報とからユーザが設定した判定時間内に最大限受信可能なリモコン信号数を算出することができ、ユーザが必要とする推定精度に応じた受信率の算出を行うことができる。
【００２７】
本発明の請求項２記載の遠隔制御信号受信機器は、請求項１記載の遠隔制御信号受信機器であって、外部入力によって電池残量の推測精度を設定する推定精度設定手段を具備することを特徴とする。
【００２８】
本発明の請求項３記載の遠隔制御信号受信機器は、請求項２記載の遠隔制御信号受信機器であって、前記推定精度設定手段に設定された電池残量推定精度に応じてリモートコントローラを駆動する電池の残量を判定する時間を決定する判定時間決定手段を具備し、前記判定時間決定手段で決定した時間が前記判定時間設定手段に設定されることを特徴とする。
【００２９】
これらにより、ユーザが希望する推定精度のレベルを、遠隔制御受信機器に指定することができ、ユーザにとっての使い勝手を向上させることができる。
【００３０】
本発明の請求項４記載の遠隔制御信号受信機器は、請求項１記載の遠隔制御信号受信機器であって、前記エラー判定部により正常に受信できたと判定されたリモコン信号内に連続する２つのリモコンコードが含まれるか否かを判定する連続リーダコード判定部と、前記連続リーダコード判定部により連続する２つのリモコンコードが含まれると判定されたリモコン信号内の連続する２つのリーダコードの間隔情報を検出するリーダコード間隔情報検出部とを具備し、前記リーダコード間隔情報検出部によって検出した間隔情報を前記リーダコード間隔情報格納手段に格納することを特徴とする。
【００３１】
これにより、電池残量判定を実施しようとする環境下で、電池残量が十分ある状態のリモコン信号のリーダコード間隔を検出し、その情報をリーダコード間隔情報格納手段に格納しておくことができ、電池残量判定の対象となるリモコン信号との差分は、電池残量の違いによるもののみとなり、実際の電池残量判定を実施しようとする環境下の様々な要因が反映された受信率の算出が可能となる。すなわちより精度の高い電池残量の判定が可能となる。
【００３２】
本発明の請求項５記載の遠隔制御信号受信機器は、請求項４記載の遠隔制御信号受信機器であって、前記リーダコード間隔情報検出部によって検出された複数のリーダコード間隔時間の平均値を算出する平均リーダコード間隔時間算出手段を具備し、前記平均リーダコード間隔時間算出手段で算出した平均リーダコード間隔時間を前記リーダコード間隔情報格納手段に格納することを特徴とする。
【００３３】
これにより精度の高い受信率の算出が可能となる。
【００３４】
本発明の請求項６記載の遠隔制御信号受信機器は、請求項1乃至５記載の遠隔制御信号受信機器であって、前記受信部が受信した任意のリモコン信号を記憶するリモコン信号記憶部を具備し、前記リモコン信号記憶部に記憶したリモコン信号は前記エラー判定部での正常判定に用いられることを特徴とする。
【００３５】
これにより、リモコン信号の仕様が不明なリモコンであっても、一度リモコン信号を遠隔制御信号受信機器に登録し、登録されたリモコン信号を参照することで、特定のリモコン以外の、例えば汎用のマルチリモコン等を使用する場合であっても電池残量の判定を可能とすることができる。
【００３６】
本発明の請求項７記載の遠隔制御信号受信機器は、請求項１乃至６記載の遠隔制御信号受信機器であって、前記出力部は前記遠隔制御信号受信機器の有する映像出力装置、サウンド出力装置、ＬＥＤのうち少なくとも一つを用いて前記リモートコントローラを駆動するための電池の交換の要否をユーザに対して通知することを特徴とする。
【００３７】
これにより、電池残量通知のための装置を別途設けることなく、電池残量低下を通知することができる。
【発明の効果】
【００３８】
以上のように、本発明が提供する遠隔制御信号受信機器は、上記課題を解決し、電池残量の推定精度を向上することができる。またユーザが望む推定精度で電池残量が判定できるように使い勝手を向上することができる。また更にリモコン信号の仕様が不明なリモコン、例えば汎用のマルチリモコン等を使用する場合であっても電池残量の判定をすることができる。
【発明を実施するための最良の形態】
【００３９】
以下、本発明の実施の形態による遠隔制御信号受信機器について、図面を参照しながら説明する。
【００４０】
（実施の形態１）
図３は本発明の実施の形態１の遠隔制御信号受信機器を、赤外線リモコンにより制御されるテレビジョン受像機（以下、テレビと略す）として実現した場合の概略ブロック図である。最初に図３に示すリモコン１３１、及びテレビ１９０の構成について説明する。
【００４１】
図３におけるリモコン１３１は、各構成部に電源を供給する電源部１０２と、電源部１０２に装着される電池１０１と、コマンド入力を行うためのキー操作部１０３と、キー操作により入力されたコマンドをリモコン信号に変換するエンコーダ部１０４と、リモコン信号を赤外線信号として送信する送信部１０５で構成される。
【００４２】
また、図３におけるテレビ１９０は、赤外線信号（リモコン信号）を受信して、電気信号（リモコン信号）に変換する受信部１１１と、テレビジョン放送信号を受信するアンテナ１９１と、アンテナ１９１から入力された所定の周波数の音声や映像信号を選局するチューナ部１９２と、チューナ部１９２により選局された音声や映像信号を復調する復調部１９３と、復調部１９３により復調された音声や映像信号や受信部１１１で受信されたリモコン信号の処理などテレビ１９０全体の制御を行うＣＰＵやメモリからなる制御部１９４と、制御部１９４から出力された映像・音声信号を出力するモニタやスピーカからなる出力部１２１で構成される。
【００４３】
図４は実施の形態１における制御部１９４内部の詳細を示した図である。以下、図４の制御部１９４の構成について説明する。図４の制御部１９４は、受信部１１１が受信したリモコン信号が正常なリモコン信号であるか否かを判定するエラー判定部１１２と、エラー判定部から出力される正常リモコン信号を対応する制御信号に変換し、出力するデコーダ部１１３と、リモコン１３１を駆動する電池１０１の残量を判定する時間を設定する判定時間設定手段１１４と、判定時間設定手段１１４に設定された電池残量判定時間内にエラー判定部１１２によって正常なリモコン信号と判定されたリモコン信号数をカウントする時間内受信回数カウント部１１５と、リモコン信号内の連続する２つのリモコンコードのリーダコード間隔情報を格納するリーダコード間隔情報格納手段１１６と、判定時間設定手段１１４に設定された電池残量判定時間とリーダコード間隔情報格納手段１１６に格納されたリーダコード間隔情報とから前記電池残量判定時間内に最大限受信可能なリモコン信号数を演算する演算部１１７と、時間内受信回数カウント部１１５で得られたリモコン信号数と前記演算部で演算された最大限受信可能なリモコン信号数とを比較する回数比較部１１８で構成される。
【００４４】
次にリモコン１３１の各部の機能について説明する。リモコン１３１において、キー操作部１０３はユーザがテレビ１９０を制御するために備えられたもので、ユーザによるキーの押下操作を検出して、押下されたキーに対応するデータをエンコーダ部１０４に出力する。送信用マイコンなどで構成されるエンコーダ部１０４は、入力されたキーに対応したリモコン信号を作成し、送信部１０５に電気信号であるリモコン信号を出力する。キー操作部１０３が押下し続けられた場合には、キー入力に対応したリモコン信号を一定間隔で断続的に出力し続ける。なお、このように連続してキーが押下し続けられた場合に、リピートコードを一定間隔で断続的に出力し続けてもよい。赤外線ＬＥＤなどで構成される送信部１０５はエンコーダ部１０４から出力されたリモコン信号を赤外線信号に変換して送信する。電源部１０２はマンガン乾電池やアルカリ乾電池などの電池１０１を装着するためのスロットなどで構成されており、エンコーダ部１０４や送信部１０５などリモコン１３１の各構成部への電源供給を行う。
【００４５】
続いてテレビ１９０の各部の機能について説明する。まず、テレビ１９０が本来有する機能であるテレビジョン放送の受信、及び映像・音声出力を行うための機能について説明する。赤外線受光モジュールなどで構成される受信部１１１はリモコン１３１の送信部１０５から送信された赤外線信号を受信して電気信号のリモコン信号に変換し、制御部１９４へ出力する。アンテナ１９１は、図示しないテレビジョン放送局から発信されるテレビジョン放送を受信する。チューナ部１９２は、制御部１９４からの制御信号に従って、アンテナ１９１で受信したテレビジョン放送を選局して所定の処理を行い、中間周波信号（ＩＦ）を復調部１９３に出力する。復調部１９３は、制御部１９４からの制御信号に従ってチューナ部１９２から出力された中間周波信号に対して復調や誤り訂正などの処理を行い、トランスポートストリーム（ＴＳ）を制御部１９４に出力する。制御部１９４は、復調部１９３から入力されたトランスポートストリームをデコードし、デコードされた音声信号や映像信号に処理を行い、出力部１２１に出力する。出力部１２１は、モニタやスピーカなどで構成される。制御部１９４から出力された映像・音声信号に基づいて、映像の表示や音声の出力を行う。
【００４６】
次に、テレビ１９０の各部がリモートコントローラの電池交換要否を判定するために有する機能について説明する。
【００４７】
エラー判定部１１２は、受信部１１１で受信したリモコン信号を入力とし、正常なリモコン信号かどうかを判定し、正常なリモコン信号であればデコーダ部１１３に出力し、異常なリモコン信号であればデコーダ部１１３に出力しない。すなわち、エラー判定部１１２は異常リモコン信号をフィルタリングし、正常リモコン信号のみを出力する。
【００４８】
エラー判定部１１２の機能は、図５に示す構成で実現ができる。図５のエラー判定部１１２は、正常リモコンコードを記憶するための正常リモコンコード記憶領域２０１と、外部から入力されるリモコン信号を一時的にバッファリングするバッファリング回路２０２と、入力されたリモコン信号内に含まれる各リモコンコードを、正常リモコンコード記憶領域２０１に記憶された正常リモコンコードと比較する比較回路２０３と、第一のＡＮＤ回路２０４と、第二のＡＮＤ回路２０５と、レジスタ回路２０６から構成される。
【００４９】
比較回路２０３の出力は第一のＡＮＤ回路２０４に入力する。第一のＡＮＤ回路２０４の出力はレジスタ回路２０６に入力し、レジスタ回路２０６の出力は第一のＡＮＤ回路２０４の入力となる。第一のＡＮＤ回路２０４の出力は第二のＡＮＤ回路２０５の入力となる。またバッファリング回路２０２の出力も第二のＡＮＤ回路２０５の入力となる。第二のＡＮＤ回路２０５の出力がエラー判定部１１２の出力信号となる。
【００５０】
リモコンコードとは、リモコン信号中に含まれる特定のフォーマットでコード化されたビット列である。一つのリモコンコード単位毎に意味のあるまとまったデータを形成する。図６にリモコンコードの一例を示す。図６のリモコンコードはリモコンコードの先頭を示すリーダコードと、メーカーや機器の種類を識別するためのカスタムコードと、キー入力に対応したデータコードと、リモコンコードの終わりを示すストップビット（トレーラ）で構成されている。
【００５１】
図５のエラー判定部１１２の動作について説明する。図５のエラー判定部１１２中の比較回路２０３は、入力されたリモコン信号を、その中に含まれるリモコンコード毎に、正常リモコンコード記憶領域２０１に記憶している正常リモコンコードと比較する。そして比較回路２０３による比較と同時に、比較対象のリモコンコードをバッファリング回路２０２に格納する。図５の比較回路２０３は、リモコン信号内の比較対象リモコンコードと正常リモコンコードを一ビット毎に比較し、比較結果が一致の場合にＨｉｇｈ信号を出力し、比較結果が不一致の場合にＬｏｗ信号を出力する。なお、レジスタ回路２０６は比較開始時にリセットされ、そのときのレジスタ回路２０６の出力はＨｉｇｈとなる。
【００５２】
比較回路２０３の比較結果が一致である場合の動作について説明する。第一のＡＮＤ回路２０４の入力には比較回路２０３の出力であるＨｉｇｈ信号が入力する。また第一のＡＮＤ回路２０４の他方の入力には、レジスタ回路２０６の出力が入力される。比較開始時には、レジスタ回路２０６からはＨｉｇｈ信号が出力され、第一のＡＮＤ回路２０４の他方の入力にＨｉｇｈ信号が入力され、第一のＡＮＤ回路２０４はＨｉｇｈ信号を出力する。そして第一のＡＮＤ回路２０４の出力であるＨｉｇｈ信号はレジスタ回路２０６に入力する。比較回路２０３からＨｉｇｈ信号が出力されている限り、レジスタ回路２０６の出力はＨｉｇｈ信号のまま保持され、第一のＡＮＤ回路２０４からはＨｉｇｈ信号が出力される。
【００５３】
一方、比較回路２０３の比較結果が不一致となると、比較回路２０３の出力であるＬｏｗ信号が第一のＡＮＤ回路２０４に入力し、第一のＡＮＤ回路２０４からのＬｏｗ出力がレジスタ回路２０６に取り込まれ、その出力（Ｌｏｗ信号）が更に第一のＡＮＤ回路２０４に入力する。よって、比較回路２０３の比較結果が一旦不一致となると、その後比較回路２０３の出力がＬｏｗ信号／Ｈｉｇｈ信号のいずれであっても、レジスタ回路２０６がリセットされない限り、第一のＡＮＤ回路２０４の出力はＬｏｗ信号のままとなる。
【００５４】
比較対象のリモコンコードと正常リモコンコードが一ビットでも相違すれば、比較終了時の第一のＡＮＤ回路２０４の出力はＬｏｗ信号となる。一方、両リモコンコードが完全一致した場合、比較終了時の第一のＡＮＤ回路２０４の出力はＨｉｇｈ信号となる。リモコンコードの比較終了後、バッファリング回路２０２にバッファリングされた比較対象のリモコンコードと第一のＡＮＤ回路の出力が第二のＡＮＤ回路２０５に入力し、第二のＡＮＤ回路２０５の出力が、エラー判定部１１２から出力される。
【００５５】
第一のＡＮＤ回路２０４の出力がＬｏｗの場合（比較対象のリモコンコードと正常リモコンコードとが一ビットでも相違した場合）は、エラー判定部１１２からはＬｏｗ信号が出力され、第一のＡＮＤ回路２０４の出力がＨｉｇｈの場合（比較対象のリモコンコードと正常リモコンコードが完全一致した場合）は、エラー判定部１１２からは、バッファリング回路２０２にバッファリングされていたリモコンコードがそのまま出力される。
【００５６】
まとめると、比較対象のリモコンコードと正常リモコンコードのビット列が、リーダコードからストップビットまで完全一致した場合、バッファリング回路に格納されていた比較対象のリモコンコードがそのままエラー判定部１１２より出力される。比較対象のリモコンコードと正常リモコンコードのビット列が一部でも一致しない場合、エラー判定部１１２からは固定信号（Ｌｏｗ信号）が出力される。
【００５７】
なお、上記はエラー判定部をハードウェアとして構成した場合の例を説明したが、エラー判定部はマイコン等を使ってソフトウエアで実現してもよい。
【００５８】
次に判定時間設定手段１１４について説明する。判定時間設定手段１１４には、ユーザによって指定される任意の時間が、リモートコントローラ１３１を駆動する電池１０１の残量を判定する時間として設定される。設定された判定時間は時間内受信回数カウント部１１５と演算部１１７で用いられる。判定時間設定手段１１４は、例えばＲＡＭ等によって実現される。
【００５９】
次に時間内受信回数カウント部１１５について説明する。時間内受信回数カウント部１１５の機能は、例えば図８に示す構成で実現される。図８の時間内受信回数カウント部１１５は、タイマー２０７、リーダコード検出回路２０８、バイナリカウンタ２０９から構成される。リーダコード検出回路２０８は更にエッジ検出回路２１０、エッジ間隔測定回路２１１から構成される。
【００６０】
図８の時間内受信回数カウント部１１５の動作について説明する。タイマー２０７は判定時間設定手段１１４に設定された判定時間を計測する。また判定時間の計測中、タイマー２０７からは電池残量の判定中であることを示す信号がバイナリカウンタ２０９に入力される。この信号は、電池残量判定期間中にはＨｉｇｈとなり、電池残量判定期間外にはＬｏｗとなる。リーダコード検出回路２０８は、エラー判定部１１２から出力された正常リモコン信号に含まれるリモコンコードのリーダコード部分を検出し、検出したことを通知する信号をバイナリカウンタ２０９に出力する。
【００６１】
リーダコードの検出は、エッジ検出回路２１０とエッジ間隔測定回路２１１によって実現される。エッジ検出回路２１０が、リモコンコード中の立ち上がりエッジと立ち下がりエッジを検出し、エッジ間隔測定回路２１１が両エッジの間隔を測定する。その間隔がリーダコード中の立ち上がりエッジと立ち下がりエッジの間隔として、リモコンコードの仕様で規定された間隔と一致すれば、リーダコードは検出されたといえる。
【００６２】
バイナリカウンタ２０９は、タイマー２０７から受けた信号がＨｉｇｈ信号の時にカウンタとして機能する。タイマー２０７から受けた信号がＨｉｇｈ信号の時、リーダコード検出回路２０８から、リーダコードを検出したことを通知する信号を受けると、バイナリカウンタ２０９のカウンタの値を１つインクリメントさせる。タイマー２０７から受けた信号がＬｏｗ信号の時、バイナリカウンタ２０９のカウンタの値はゼロが維持される。バイナリカウンタ２０９によってカウントされたリーダコード数が受信した正常なリモコン信号数である。
【００６３】
以上により、図８の時間内受信回数カウント部１１５は、判定時間設定手段１１４に設定された電池残量判定時間内にエラー判定部１１２によって正常なリモコン信号と判定されたリモコン信号数をカウントすることができる。カウントされたリモコン信号の受信回数は回数比較部１１８に引き渡される。
【００６４】
次にリーダコード間隔情報格納手段１１６について説明する。リーダコード間隔情報格納手段１１６には、電池残量判定の対象となるリモートコントローラのリモコン信号内に含まれる連続する２つのリモコンコードのリーダコード間隔情報を格納する。図７にリモコン信号内に含まれる連続する２つのリモコンコードのリーダコード間隔の例を示す。この例ではリーダコード間隔はｔｂ秒となり、この情報がリーダコード間隔情報格納手段１１６に格納される。リーダコード間隔情報格納手段１１６は、例えばＲＡＭ等によって実現される。
【００６５】
次に演算部１１７について説明する。演算部１１７には、判定時間設定手段１１４に設定された判定時間と、リーダコード間隔情報格納手段１１６に格納されたリーダコード間隔情報が入力される。演算部１１７はこれらから電池残量判定時間内に最大限受信可能なリモコン信号数（以下、受信可能回数と略す）を算出する。受信可能回数は判定時間をリーダコード間隔情報（時間）で除することで求めることができる。従って演算部１１７は除算回路で構成することができる。演算部１１７で算出された受信可能回数は回数比較部１１８に引き渡される。
【００６６】
次に回数比較部１１８について説明する。回数比較部１１８には、時間内受信回数カウント部より出力された受信回数と演算部１１７から出力された受信可能回数が入力される。そして受信回数と受信可能回数を比較し、その比率を求め比較結果として出力部１２１に出力する。出力部１２１は、回数比較部１１８の比較結果に基づいて、リモートコントローラ１３１を駆動する電池残量を推定し、ユーザに対して所定の通知を行う。
【００６７】
次にテレビ１９０でリモコンの電池交換要否の確認を行うときの動作を説明する。図１７は実施の形態１におけるテレビ１９０の状態遷移図である。５０は通常状態、５１は動作選択待ち状態、５２はリモコン信号受信待ち状態、５３はリモコン信号受信状態、５４は確認結果通知状態である。
【００６８】
通常状態５０で、ユーザによりメニュー画面などで電池交換要否確認モードが選択されると動作選択待ち状態５１に遷移する（遷移５５）。動作選択待ち状態５１で、ユーザにより「戻る」が選択されると通常状態５０に遷移し（遷移５６）、判定時間が入力されると判定時間設定手段１１４に判定時間が設定される（遷移５７）。受信回数は判定時間をリーダコード間隔情報（時間）で割った値となるため、判定時間を短く設定した場合は、受信可能回数は少なく設定され、判定時間を長く設定した場合は、受信可能回数は多く設定される。なお、判定時間が入力されなかった場合は、予め設定された判定時間が設定される。
【００６９】
動作選択待ち状態５１でユーザにより「開始」が選択されるとリモコン信号受信待ち状態５２に遷移し（遷移５８）、出力部１２１で「１ｍの距離から画面に向けてａ秒間（ａ：設定された判定時間）リモコンのボタンを押し続けてください」とユーザに判定方法を通知する。
【００７０】
リモコン信号受信待ち状態５２において、数秒間リモコン信号を受信しないと通常状態５０に遷移し（遷移５９）、リモコン信号を受信するとリモコン信号受信状態５３に遷移する（遷移６０）。リモコン信号受信状態５３に遷移すると、時間内受信回数カウント部１１５で正常に受信できたリモコン信号回数のカウントを開始する。リモコン信号受信状態５３でａ秒が経過すると正常に受信したリモコン信号回数のカウントを終了し、カウント結果であるａ秒内に正常に受信した回数と、演算部１１７で算出された受信可能回数とを回数比較部１１８で比較し、確認結果通知状態５４に遷移する（遷移６１）。
【００７１】
確認結果通知状態５４において、出力部１２１は回数比較部１１８で比較された結果からリモコン１３１の電池残量を推測し、例えば電池残量が低下している場合（受信可能回数が１００回で正常に受信した回数が１０回であった場合など）には「電池が切れかけています。新しい電池の準備をしてください。」とユーザに警告を行い、電池残量が十分にある場合（受信可能回数とほぼ同回数受信した場合など）には「電池残量に問題はありません。」とユーザに通知を行う。また、ユーザにより終了が選択されると通常状態５０に遷移し（遷移６２）、やり直しが選択されると動作選択待ち状態５１に遷移する（遷移６３）。
【００７２】
図１８は実施の形態１における出力部１２１の映像信号出力例である。図１８（ａ）は通常状態５０のメニュー操作時の映像信号出力例である。ユーザはリモコンなどを用いて電池交換要否確認モードや、その他設定を選択する。図１８（ｂ）は動作選択待ち状態５１での映像信号出力例である。図１８（ａ）で電池交換要否確認モードが選択された後に表示される。ユーザはリモコンなどを用いて、「開始」、「戻る」の選択と、判定時間の入力を行う。図１８（ｃ）はリモコン信号受信待ち状態５２での映像信号出力例である。なお、「１ｍの距離から画面に向けてａ秒間（ａ：設定された判定時間）リモコンのボタンを押し続けてください」は一例であり、リモコンとテレビの距離は１ｍに限るものではなく、リモコン信号が十分に届く範囲であれば何ｍでも良い。図１８（ｄ）はリモコン信号受信状態５３での映像信号出力例である。図１８（ｄ）に記載してあるように、判定時間の経過を視覚的にユーザに知らしめても良い。図１８（ｅ）は確認結果通知状態５４での映像信号出力例である。ユーザはリモコンを用いて「やり直し」、「終了」の選択を行う。また、電池交換要否の通知だけでなく、図１８（ｅ）に記載してあるように、受信可能回数中のうち何回まで受信できたかを視覚的にユーザに知らしめても良い。
【００７３】
このようにして、テレビ１９０は所定の判定時間内に正常に受信できた回数をカウントし、理論上判定時間内に受信可能な回数である受信可能回数と比較することで、リモコン１３１の電池残量を推測するため、リモコン１３１に特別な構成を必要とせず、テレビ１９０でリモコン１３１の電池残量の不足を通知することが出来る。
【００７４】
以上、実施の形態１の遠隔制御信号受信機器（テレビジョン受信機器）では、所定の電池残量判定時間内に実際に受信できた正常なリモコン信号の回数（受信回数）と、電池残量が十分な状態で最大限受信可能なリモコン信号数（受信可能回数）とを比較する。これによりリモコン受信機器内部で異常なリモコン信号のフィルタリング処理を行う仕様の受信機器であっても精度の高い電池残量判定ができる。
【００７５】
また、正常な信号を送れなくなる前に、リモコン内部のリモコン信号送信用マイコンがスタンバイ状態となるような仕様の受信機器であっても、電池残量低下の検知が可能である。
【００７６】
また更に、判定時間設定手段１１４にはユーザが希望する判定時間が任意に設定可能であり、設定された電池残量判定時間とリーダコード間隔情報格納手段に格納されたリーダコード間隔情報とからユーザが設定した判定時間内に最大限受信可能なリモコン信号数を算出する。これによりユーザが必要とする判定時間に応じた受信率の算出を行うことができ、ユーザの使い勝手を向上させることができる。
【００７７】
（実施の形態２）
本発明の実施形態２は、実施形態１で説明したテレビ１９０の制御部１９４に、推定精度設定手段１１９と判定時間決定手段１２０を追加したものである。
【００７８】
図９は本発明の実施の形態２の遠隔制御信号受信機器を、赤外線リモコンにより制御されるテレビジョン受像機（以下、テレビと略す）として実現した場合の、制御部１９４内部の詳細を示した図である。推定精度設定手段１１９、判定時間決定手段１２０以外の構成要素は実施形態１で既に説明したため、説明を割愛する。
【００７９】
推定精度設定手段１１９には、ユーザが希望する推定精度のレベルが設定される。推定精度設定手段１１９は例えば、ＲＡＭ等によって構成される。
【００８０】
判定時間決定手段１２０は、推定精度設定手段１１９に設定された推定精度レベルに応じた電池残量判定時間の決定を行う。この機能は、図１０に示すように判定時間決定手段１２０内に、推定精度と電池残量判定時間の対応付けを行う変換テーブル２１２を持つことで実現できる。変換テーブル２１２は、例えばＲＯＭ等によって構成される。図１０では推定レベルとして１が設定された場合には判定時間として５秒が、推定レベルとして２が設定された場合には判定時間として１０秒が、推定レベルとして３が設定された場合には判定時間として２０秒が、推定レベルとして４が設定された場合には判定時間として３０秒が、推定レベルとして５が設定された場合には、判定時間として６０秒が、電池残量判定時間として決定される。
【００８１】
実施の形態１ではユーザによって指定された任意の時間が電池残量判定時間として、判定時間設定手段１１４に設定されていたが、実施の形態２では判定時間決定手段１２０で決定された電池残量判定時間が、判定時間設定手段１１４に電池残量判定時間として設定される。
【００８２】
これにより、ユーザが希望する推定精度のレベルを遠隔制御受信機器に指定でき、ユーザが希望する推定精度のレベルに応じた電池残量判定時間を設定することができるので、ユーザにとっての使い勝手を向上させることができる。
【００８３】
（実施の形態３）
本発明の実施形態３は、実施形態２で説明したテレビ１９０の制御部１９４に、更に、連続リーダコード判定部１２２と連続リーダコード間隔情報検出部１２３を追加したものである。
【００８４】
図１１は本発明の実施の形態３の遠隔制御信号受信機器を、赤外線リモコンにより制御されるテレビジョン受像機（以下、テレビと略す）として実現した場合の、制御部１９４内部の詳細を示した図である。連続リーダコード判定部１２２、連続リーダコード間隔情報検出部１２３以外の構成要素は実施形態１乃至２で既に説明したため、説明を割愛する。
【００８５】
連続リーダコード判定部１２２は、エラー判定部１１２により正常に受信できたと判定されたリモコン信号に連続する２つのリモコンコードが含まれるか否かを判定する。連続リーダコード判定部１２２の機能は、例えば図１２に示す構成で実現される。
【００８６】
図１２に示す連続リーダコード判定部１２２は、ストップビット検出回路２１３、リーダコード検出回路２０８、及び時間間隔判定回路２１４で構成されている。ストップビット検出回路２１３には正常リモコン信号が入力する。この正常リモコン信号に含まれる各リモコンコード内のストップビットを検出する。ストップビット検出回路内にはリモコンコードの仕様（フォーマット）情報が保持され、リモコンコード中のストップビットの検出は保持されたリモコンコードの仕様（フォーマット）に基づいて行われる。リーダコード検出回路２０８は図８中のリーダコード２０８と同一である。ストップビット検出回路２１３とリーダコード検出回路２０８は、それぞれストップビット、リーダコードを検出したことを通知する信号を時間間隔判定回路２１４に送る。連続する２つのリモコンコードが連続であるか否かは、あるリモコンコードのストップビットと、そのリモコンコードの次に検知されたことが通知されたリモコンコードのリーダコードの間隔を測定し、その間隔が所定の間隔以下であるか否かで判断する。ストップコードとリーダコードの間隔が所定の間隔以下であれば、ストップコードを含むリモコンコードと、リーダコードを含むリモコンコードは、エラー判定部より連続して出力したものと言える。
【００８７】
時間間隔判定回路２１４は、ストップビット検出の通知からリーダコード検出の通知までの時間間隔が所定の間隔内であるか否かを判断し、所定の間隔内であるか否かを示す信号を連続リーダコード間隔情報検出部１２３に出力する。その出力信号（ストップビット検出の通知からリーダコード検出の通知までの時間間隔が所定の間隔内であるか否かを示す信号）は、即ち、エラー判定部１１２により正常に受信できたと判定されたリモコン信号に連続する２つのリモコンコードが含まれているか否かを示す信号である。この信号が連続リーダコード判定部１２２の出力信号となる。なお、所定の間隔は使用するリモートコントローラのリモコンコードの仕様（フォーマット）に基づいて定める。
【００８８】
連続リーダコード間隔情報検出部１２３は、連続リーダコード判定部１２２により連続する２つのリモコンコードが含まれると判定されたリモコン信号内の連続する２つのリーダコードの間隔情報を検出し、その情報をリーダコード間隔情報格納手段１１６に送る。連続リーダコード間隔情報検出部１２３の機能は、例えば図１３に示す構成で実現される。
【００８９】
図１３に示す連続リーダコード間隔情報検出部１２３は、リーダコード検出回路２０８、タイムカウンタ２１５、及び制御回路２１６で構成されている。リーダコード検出回路２０８は図８中のリーダコード検出回路２０８と同一である。リーダコード検出回路２０８はエラー判定部１１２から出力される正常リモコン信号を入力とし、その正常リモコン信号に含まれるリモコンコードのリーダコードを検出したことを通知する信号をタイムカウンタ２１５へ出力する。
【００９０】
タイムカウンタ２１５は、リーダコード検出回路２０８から出力される通知信号の間隔を計測し、計測結果を制御回路２１６に出力する。リーダコード検出回路２０８から出力される通知信号の間隔は正常リモコン信号内に含まれるリモコンコードのリーダコード間隔に等しい。よって、タイムカウンタ２１５は正常リモコン信号内に含まれるリモコンコードのリーダコード間隔を計測しているといえる。
【００９１】
制御回路２１６には、タイムカウンタ２１５の出力する計測結果と、連続リーダコード判定部１２２からの出力信号が入力される。
【００９２】
制御回路２１６は、連続リーダコード判定部１２２から出力される、エラー判定部１１２により正常に受信できたと判定されたリモコン信号に連続する２つのリモコンコードが含まれているか否かを示す信号が、連続する２つのリモコンコードが含まれていることを示している場合にのみ、タイムカウンタ２１５で計測されたリーダコード検出通知信号間隔情報を出力する。この制御回路２１６から出力される信号が、連続リーダコード判定部１２２により連続する２つのリモコンコードが含まれると判定されたリモコン信号内の連続する２つのリーダコードの間隔情報である。制御回路２１６からの出力が連続リーダコード間隔情報検出部１２３の出力となる。連続リーダコード間隔情報検出部１２３から出力される連続リーダコード間隔情報が、リーダコード格納手段１１６に格納される。
【００９３】
これにより、電池残量判定を実施しようとする環境下で、電池残量が十分ある状態のリモコン信号のリーダコード間隔を検出し、その情報をリーダコード間隔情報格納手段に格納しておくことができ、電池残量判定の対象となるリモコン信号との差分は、電池残量の違いによるもののみとなり、実際の電池残量判定を実施しようとする環境下の様々な要因が反映された受信率の算出が可能となる。すなわちより精度の高い電池残量の判定が可能となる。
【００９４】
（実施の形態４）
本発明の実施形態４は、実施形態３で説明したテレビ１９０の制御部１９４に、更に、平均リーダコード間隔時間算出手段１２４を追加したものである。
【００９５】
図１４は本発明の実施の形態４の遠隔制御信号受信機器を、赤外線リモコンにより制御されるテレビジョン受像機（以下、テレビと略す）として実現した場合の、制御部１９４内部の詳細を示した図である。平均リーダコード間隔時間算出手段１２４以外の構成要素は実施形態１乃至３で既に説明したため、説明を割愛する。
【００９６】
平均リーダコード間隔時間算出手段１２４は、連続リーダコード間隔時間情報検出部１２３によって検出された複数のリーダコード間隔時間の平均値を算出し、リーダコード格納手段１１６に出力する。
【００９７】
平均リーダコード間隔時間算出手段１２４の機能は、例えば図１５に示す構成で実現される。図１５に示す平均リーダコード間隔時間算出手段１２４は累積回路２１７、インクリメント回路２１８、及び除算回路２１９で構成されている。累積回路２１７、及びインクリメント回路２１８には、連続リーダコード間隔情報検出部１２３から出力される連続リーダコード間隔情報（時間情報）が入力される。累積回路２１７は、内部にメモリを有し、連続リーダコード間隔情報が入力されるたびに、逐次累積加算し、加算結果をメモリに保持する。メモリに保持された加算結果は除算回路２１９に入力される。インクリメント回路２１８は、内部に初期値０のカウンタを有し、連続リーダコード間隔情報が入力されるたび、カウンタが１だけインクリメントされる。カウンタの値は除算回路２１９に入力される。
【００９８】
インクリメント回路２１８のカウンタの値が所定の値になると、除算回路は、累積回路２１７に保持された連続リーダコード間隔情報の加算結果（時間情報）をインクリメント回路２１８のカウンタの値で除した値を出力する。この出力が、リーダコード間隔時間の平均値であり、リーダコード格納手段１１６に送られる、リーダコード格納手段１１６に格納される。
【００９９】
これにより、電池残量が十分ある状態のリモコン信号のリーダコード間隔時間精度を高めることができ、より精度の高い受信率の算出が可能となる。
【０１００】
（実施の形態５）
本発明の実施形態５は、実施形態４で説明したテレビ１９０の制御部１９４に、更に、リモコン信号記憶部１２５を追加したものである。
【０１０１】
図１６は本発明の実施の形態５の遠隔制御信号受信機器を、赤外線リモコンにより制御されるテレビジョン受像機（以下、テレビと略す）として実現した場合の、制御部１９４内部の詳細を示した図である。リモコン信号記憶部１２５以外の構成要素は実施形態１乃至４で既に説明したため、説明を割愛する。
【０１０２】
リモコン信号記憶部１２５は受信部が受信した任意のリモコン信号を記憶する。記憶されたリモコン信号は、エラー判定部１１２の正常リモコンコード記憶領域２０１に格納され、エラー判定部１１２によるエラー判定時の参照波形として用いられる。
【０１０３】
次に、テレビ１９０でリモコンの電池交換要否の確認を行うときの動作を以下に説明する。図１９は実施の形態５におけるテレビ１９０の状態遷移図である。５０は通常状態、５１は動作選択待ち状態、５２はリモコン信号受信待ち状態、５３はリモコン信号受信状態、５４は確認結果通知状態、６４は登録用リモコン信号入力待ち状態である。
【０１０４】
通常状態５０で、ユーザによりメニュー画面などで電池交換要否確認モードが選択されると動作選択待ち状態５１に遷移する（遷移５５）。
【０１０５】
動作選択待ち状態５１で、ユーザにより「戻る」が選択されると通常状態５０に遷移し（遷移５６）、「推定精度入力」が選択されると、ユーザによって指定された推定精度レベルが推定精度設定手段１１９に設定され（遷移６７）、「リモコン信号登録」が選択されると登録用リモコン信号入力待ち状態６４に遷移する（遷移６５）。
【０１０６】
ユーザによって指定された推定精度レベルは、判定時間決定手段１２０内の変換テーブル２１２に応じて、判定時間に変換され判定時間設定手段１１４に判定時間が設定される。
【０１０７】
登録用リモコン信号入力待ち状態６４では、出力部１２１で例えば「登録したいリモコンに新品の電池を入れ、１ｍの距離から画面に向けて登録したいリモコンのキーを押下し続けてください」と表示し、電池残量が十分にあるときの連続リモコン信号をユーザに送信させる。受信部１１１がリモコン信号を受信すると１サイクル分のリーダコード、メーカコード、データコード、トレーラなどのリモコンコードをリモコン信号記憶部１２５に記憶する。ここで記憶したリモコンコードがエラー判定部１１２で正常なリモコンコードとして参照される。
【０１０８】
また、連続リーダコード判定部１２２、連続リーダコード間隔情報検出部１２３、平均連続リーダコード間隔算出手段１２４を用いて登録するリモコンの平均リーダコード間隔を算出し、リーダコード間隔情報格納手段１１６に格納する。格納されたリーダコード間隔情報は電池交換要否を判定する際に用いられる。以上の処理が完了するか、「戻る」が選択されると動作選択待ち状態５１に遷移する（遷移６６）。
【０１０９】
動作選択待ち状態５１で、ユーザにより「開始」が選択されるとリモコン信号受信待ち状態５２に遷移し（遷移５８）、出力部１２１で「１ｍの距離から画面に向けてａ秒間（ａ：ユーザに指定された推定レベルに応じた判定時間）リモコンのボタンを押し続けてください」とユーザに判定方法を通知する。
【０１１０】
リモコン信号受信待ち状態５２において、数秒間リモコン信号を受信しないと通常状態５０に遷移し（遷移５９）、リモコン信号を受信するとリモコン信号受信状態５３に遷移し（遷移６０）、時間内受信回数カウント部１１５で正常信号の受信回数のカウントを開始する。
【０１１１】
リモコン信号受信状態５３でａ秒が経過すると正常に受信した回数のカウントを終了し、ａ秒内に正常に受信した回数と、演算部１１７で算出された受信可能回数とを回数比較部１１８で比較して確認結果通知状態５４に遷移する（遷移６１）。
【０１１２】
確認結果通知状態５４において、出力部１２１は回数比較部１１８で比較された結果からリモートコントローラ１３１の電池残量を推測し、例えば電池残量が低下している場合には「電池が切れかけています。新しい電池の準備をしてください。」とユーザに警告を行い、電池残量が十分にある場合には「電池残量に問題はありません。」とユーザに通知を行う。ユーザによりメニュー画面などで電池交換要否確認モード終了が選択されると通常状態５０に遷移し（遷移６２）、やり直しが選択されると動作選択待ち状態５１に遷移する（遷移６３）。
【０１１３】
図２０は実施の形態５における出力部１２１の映像信号出力例である。図２０（ａ）は通常状態５０のメニュー操作時の映像信号出力例である。ユーザはリモコンなどを用いて電池交換要否確認モードや、その他設定を選択する。図２０（ｂ）は動作選択待ち状態５１での映像信号出力例である。図２０（ａ）で電池交換要否確認モードが選択された後に表示される。ユーザはリモコンなどを用いて、「開始」、「推定精度入力」、「リモコン信号登録」、「戻る」の選択を行う。  図２０（ｃ）は登録用リモコン信号入力待ち状態６４での映像信号出力例である。なお、「登録したいリモコンに新品の電池を入れ１ｍの距離から画面に向けて登録したいリモコンのキーを押下し続けてください」は一例であり、リモコンとテレビの距離は１ｍに限るものではなく、リモコン信号が十分に届く範囲であれば何ｍでも良い。図２０（ｄ）はリモコン信号受信待ち状態５２での映像信号出力例である。なお、「１ｍの距離から画面に向けてａ秒間（ａ：ユーザに指定された推定レベルに応じた判定時間）リモコンのボタンを押し続けてください」は一例であり、リモコンとテレビの距離は１ｍに限るものではなく、リモコン信号が十分に届く範囲であれば何ｍでも良い。図２０（ｅ）はリモコン信号受信状態５３での映像信号出力例である。図に記載してあるように、判定時間の経過を視覚的にユーザに知らしめても良い。図２０（ｆ）は確認結果通知状態５４での映像信号出力例である。ユーザはリモコンなどを用いて「やり直し」、「終了」の選択を行う。また、電池交換要否の通知だけでなく、図に記載してあるように、受信可能回数中の何回まで受信できたかを視覚的にユーザに知らしめても良い。
【０１１４】
以上より、リモコン信号の仕様が不明なリモコンであっても、一度リモコン信号を遠隔制御信号受信機器に登録し、登録されたリモコン信号を参照することで、決められたリモコン以外の、例えば汎用のマルチリモコン等を使用する場合でも電池残量の判定を可能とできる。
【０１１５】
なお、実施の形態１乃至５において、テレビの例で説明したが、蓄積再生装置、車載機器、パーソナルコンピュータ等にも適用できる。また、実施の形態１乃至５において、赤外線通信の例で説明したが、可視光または不可視光や、可聴音または非可聴音や、電波を用いての通信にも適用できる。
【産業上の利用可能性】
【０１１６】
本発明の遠隔制御信号受信機器は、リモコンの電池残量の不足を、リモコンに一切の負担をかけずに受信機器側のみの処理で行うことが可能で、ユーザが使用するリモコンが他社の学習リモコンやマルチリモコンの場合にも電池残量の不足を早期に通知することができる。本発明はＣＰＵなどの制御部と、映像表示部や音声出力部などのユーザインターフェースを備えたリモコン受信機器であればどの機器にも有効である。
【図面の簡単な説明】
【０１１７】
【図１】リモコン信号受信率の低下を検知しうる従来の技術を示す図
【図２】リモコン信号受信率の低下が電池残量の低下に起因するか否かを判断する技術を示す図
【図３】本発明のテレビジョン受像機の全体の構成を示す図
【図４】本発明の実施の形態１によるテレビジョン受像機の制御部の詳細な構成図
【図５】エラー判定部１１２の構成図
【図６】リモコン信号中に含まれるリモコンコードを示す図
【図７】リモコンコードのリーダコード間隔を示す図
【図８】時間内受信回数カウント部１１５の構成図
【図９】本発明の実施の形態２によるテレビジョン受像機の制御部の詳細な構成図
【図１０】判定時間決定手段１２０の構成図
【図１１】本発明の実施の形態３によるテレビジョン受像機の制御部の詳細な構成図
【図１２】連続リーダコード判定部１２２の構成図
【図１３】連続リーダコード間隔情報検出部１２３の構成図
【図１４】本発明の実施の形態４によるテレビジョン受像機の制御部の詳細な構成図
【図１５】平均リーダコード間隔時間算出手段１２４の構成図
【図１６】本発明の実施の形態５によるテレビジョン受像機の制御部の詳細な構成図
【図１７】本発明の実施の形態１によるテレビジョン受像機の状態遷移図
【図１８】本発明の実施の形態１によるテレビジョン受像機の出力部から出力される映像信号の例を示す図
【図１９】本発明の実施の形態５によるテレビジョン受像機の状態遷移図
【図２０】本発明の実施の形態５によるテレビジョン受像機の出力部から出力される映像信号の例を示す図
【符号の説明】
【０１１８】
１  画像表示プロジェクタ
２  リモコン受信部
３  制御部
４  ＤＭＤ
５  ランプユニット
５ａ  ランプ
６  ファンユニット
６ａ  ファン
７  モータドライバ
８  ビデオ信号入力端子
９  ビデオデコーダ
１０  照度センサ
１１  メモリ
２０  リモコン
３１  マイコン部
３２  コード送信部
３３  受信部
３４  マイコン部
３５  リレー部
３６  電圧ブザー
５０  通常状態
５１  動作選択待ち状態
５２  リモコン信号受信待ち状態
５３  リモコン信号受信状態
５４  確認結果通知状態
５５  「電池交換要否確認モード」を選択したときの状態遷移
５６  「戻る」を選択したときの状態遷移
５７  判定時間を入力したときの状態遷移
５８  「開始」を選択したときの状態遷移
５９  リモコン信号の受信がなく数秒経過したときの状態遷移
６０  リモコン信号の受信があったときの状態遷移
６１  判定時間が経過したときの状態遷移
６２  電池交換要否確認モード終了を選択したときの状態遷移
６３  やり直しを選択したときの状態遷移
６４  登録用リモコン信号入力待ち状態
６５  「リモコン信号登録」を選択したときの状態遷移
６６  「登録完了」又は「戻る」を選択したときの状態遷移
６７  推定精度を入力したときの状態遷移
１０１  電池
１０２  電源部
１０３  キー操作部
１０４  エンコーダ部
１０５  送信部
１１１  受信部
１１２  エラー判定部
１１３  デコーダ部
１１４  判定時間設定手段
１１５  時間内受信回数カウント部
１１６  リーダコード間隔情報格納手段
１１７  演算部
１１８  回数比較部
１１９  推定精度設定手段
１２０  判定時間決定手段
１２１  出力部
１２２  連続リーダコード判定部
１２３  連続リーダコード間隔情報検出部
１２４  平均リーダコード間隔時間算出手段
１２５  リモコン信号記憶部
１３１  リモートコントローラ
１９０  テレビジョン受像機
１９１  アンテナ
１９２  チューナ部
１９３  復調部
１９４  制御部
２０１  正常リモコンコード記憶領域
２０２  バッファリング回路
２０３  比較回路
２０４  第一のＡＮＤ回路
２０５  第二のＡＮＤ回路
２０６  レジスタ回路
２０７  タイマー
２０８  リーダコード検出回路
２０９  バイナリカウンタ
２１０  エッジ検出回路
２１１  エッジ間隔測定回路
２１２  変換テーブル
２１３  ストップビット検出回路
２１４  時間間隔判定回路
２１５  タイムカウンタ
２１６  制御回路
２１７  累積回路
２１８  インクリメント回路
２１９  除算回路
【図１】
2010021750.tif 000003
【図２】
2010021750.tif 000004
【図３】
2010021750.tif 000005
【図４】
2010021750.tif 000006
【図５】
2010021750.tif 000007
【図６】
2010021750.tif 000008
【図７】
2010021750.tif 000009
【図８】
2010021750.tif 000010
【図９】
2010021750.tif 000011
【図１０】
2010021750.tif 000012
【図１１】
2010021750.tif 000013
【図１２】
2010021750.tif 000014
【図１３】
2010021750.tif 000015
【図１４】
2010021750.tif 000016
【図１５】
2010021750.tif 000017
【図１６】
2010021750.tif 000018
【図１７】
2010021750.tif 000019
【図１８】
2010021750.tif 000020
【図１９】
2010021750.tif 000021
【図２０】
2010021750.tif 000022